(57)【要約】  【課題】  本発明の目的は、長期にわたって安定した透水性を保持できる透水性部材を提供し、かつこのような透水性部材を用いることにより、長期にわたって貯水空間から雨水が溢れ出すことのない雨水の貯水施設を提供することにある。  【解決手段】  本発明の透水性部材２０は、非生分解性樹脂製粒子２２と生分解性樹脂製粒子２３をプレス機により熱圧着した板状成形体からなるもので、しかも板状成形体の表裏に連通する複数の水分透過穴２１を有していることを特徴とするものである。【選択図】  図２
2008144353.tif 000002
【特許請求の範囲】
【請求項１】
非生分解性樹脂製粒子と生分解性樹脂製粒子を熱圧着した板状成形体からなり、かつ表裏に連通する複数の水分透過穴を有することを特徴する透水性部材。
【請求項２】
非生分解性樹脂製粒子と生分解性樹脂製粒子とこれら２種類の樹脂製粒子の熱圧着性を高めるバインダー樹脂製粒子とを熱圧着した板状成形体からなり、かつ表裏に連通する複数の水分透過穴を有することを特徴とする透水性部材。
【請求項３】
非生分解性樹脂と生分解性樹脂とを混合した樹脂製粒子を熱圧着した板状成形体からなり、かつ表裏に連通する複数の水分透過穴を有することを特徴する透水性部材。
【請求項４】
地面を掘り下げて設けられ上部が開口している掘穴と、該掘穴内に配設され複数の骨格ブロックを組み立てて構成されている空間保持骨格ブロック構造体と、前記掘穴の上部の開口を覆う被覆層とを有する雨水の貯水施設において、前記堀穴の表面と前記空間保持骨格ブロック構造体との間には請求項１乃至請求項３のいずれかに記載の透水性部材が設置されていることを特徴とする雨水の貯水施設。
【発明の詳細な説明】
【技術分野】
【０００１】
本発明は、透水性部材及びこの透水性部材を用いて、ビルあるいは集合住宅、特に団地等において、雨水を一時的に貯水するために地面に掘った掘穴の内表面を覆った雨水の貯水施設に関するものである。
【背景技術】
【０００２】
従来から、例えば、大きなビルや団地周辺の空き地や自転車置き場の地下等において、降った雨を一時的に貯水する貯水施設が種々設けられている。
このように雨水の貯水施設を設ける目的の一つは、雨水を一時的に貯水施設に貯えておいて、これを少しずつ下水に流したり、周囲に浸透させて都市型の洪水を防ぐ、という点にある。
【０００３】
この種の貯水施設の典型的な例として、特許文献１に記載の貯水施設がある。
これは図３に示すように、予め地面１を掘り下げて、例えば平面形状が長方形の掘穴２を形成し、しかる後この掘穴２の内表面（側面２ａ及び底面２ｂを含む）を不織布や、比較的粒径の大きい砂利やがれきで覆い内張層３を形成する。
内張層３を形成したら、その内側、すなわち堀穴２内に、予め用意しておいた複数個の容器状で樹脂製の骨格ブロック４を上下縦横に組み付け、その内部に貯水空間を有する空間保持骨格ブロック構造体５を形成する。空間保持骨格ブロック構造体５が組み上がったら、最後に空間保持骨格ブロック構造体５上を不織布で覆ったり、さらには砂利や土を埋め戻して被覆層９を形成する。
尚、図３において、符号１０は貯水空間への雨水の流入口を、符号１１は流出口を示している。
【０００４】
【特許文献１】特公平４−２６６４８号公報（特開昭６３−２６８８２３号）
【発明の開示】
【発明が解決しようとする課題】
【０００５】
ところで特許文献１に記載されている雨水の貯水施設において、内張層３を砂利やがれき等のみで形成した場合、経時的に堀穴２の内表面（側面２ａ及び底面２ｂを含む）に露出している土砂のうち比較的粒径の小さな粒子が、砂利やがれきの隙間を通って貯水空間側に侵入し、沈殿してしまう。その結果、次第に貯水空間を狭めて貯水可能な貯水量が少なくなってしまう、という問題があった。
【０００６】
そこで昨今では、透水性を有し、かつその隙間（目）が細かな不織布のみで内張層３を形成したり、あるいは堀穴２の内表面をまず不織布で覆い、さらにこの不織布と空間保持骨格ブロック構造体５との間に比較的粒径の大きな砂利やがれきを充填して内張層３を形成することもある。
このように堀穴２の表面を、砂利やがれきに比して遥かにその隙間の小さな不織布で覆うことで、透水性を保持しながら、堀穴２の表面側から貯水空間への粒径の小さな土砂の侵入を防止している。
ところが、時間の経過と共に、不織布の目が土砂で目詰まりし、貯水空間側から外部への水分の浸透がうまくいかず、次第に貯水空間から雨水が溢れ出す、という問題があった。
【０００７】
前記問題に鑑み本発明の目的は、長期にわたって安定した透水性を保持できる透水性部材を提供し、かつこのような透水性部材を用いることで、長期にわたって貯水空間から雨水が溢れ出すことのない雨水の貯水施設を提供することにある。
【課題を解決するための手段】
【０００８】
前記目的を達成すべく本発明の請求項１記載の透水性部材は、非生分解性樹脂製粒子と生分解性樹脂製粒子を熱圧着した板状成形体からなり、かつ表裏に連通する複数の水分透過穴を有することを特徴するものである。
【０００９】
また、請求項２記載の透水性部材は、非生分解性樹脂製粒子と生分解性樹脂製粒子とこれら２種類の樹脂製粒子の熱圧着性を高めるバインダー樹脂製粒子とを熱圧着した板状成形体からなり、かつ表裏に連通する複数の水分透過穴を有することを特徴とするものである。
【００１０】
加えて、請求項３記載の透水性部材は、非生分解性樹脂と生分解性樹脂とを混合した樹脂製粒子を熱圧着した板状成形体からなり、かつ表裏に連通する複数の水分透過穴を有することを特徴するものである。
【００１１】
さらにまた、請求項４記載の雨水の貯水施設は、地面を掘り下げて設けられ上部が開口している掘穴と、該掘穴内に配設され複数の骨格ブロックを組み立てて構成されている空間保持骨格ブロック構造体と、前記掘穴の上部の開口を覆う被覆層とを有する雨水の貯水施設において、前記堀穴の表面と前記空間保持骨格ブロック構造体との間には請求項１乃至請求項３のいずれかに記載の透水性部材が設置されていることを特徴としている。
【００１２】
前記請求項１〜請求項３記載の透水性部材のいずれかで、例えば、請求項４記載の雨水の貯水施設における内張層を形成すれば、具体的には、雨水の貯水施設における掘穴の内表面と空間保持骨格ブロック構造体とを仕切れば、経時的に透水性部材の水分透過穴が堀穴表面から侵入する細かい粒子で目詰まりを起こしたとしても、この透水性部材に含まれる生分解性樹脂製粒子あるいは粒子中の生分解性樹脂部分が時間の経過と共に分解し、本来生分解性樹脂製粒子あるいは粒子中において生分解性樹脂が存在していた部分に空洞、すなわち水分透過穴をもたらす。
その結果、透水性部材が本来持っていた水分透過穴が目詰まりし、次第にその数が減っていったとしても、それと同時に生分解性樹脂の分解に伴ってもたらされる水分透過穴が新たに生まれ、目詰まり分を補充していく。
そのため、例えば、従来の非生分解性樹脂からなる不織布よりも、より長期にわたって高い透水性が保持可能になり、長期にわたって貯水空間から雨水が溢れ出す恐れをなくすることができる。
【発明の効果】
【００１３】
以上のように本発明によれば、長期にわたって安定した透水性を保持できる透水性部材を提供でき、この透水性部材を用いることで、長期にわたって貯水空間から雨水が溢れ出すことのない雨水の貯水施設を提供することもできる。
【発明を実施するための最良の形態】
【００１４】
以下に本発明の透水性部材を雨水の貯水施設に用いる場合について、図１、図２を用いて詳細に説明する。尚、雨水の貯水施設そのものは基本的には図３に示すものと同じであるため、ここでは貯水施設全体図は省略し、本発明の透水性部材の形状や構成等について説明することにする。
【００１５】
図１は本発明の透水性部材２０の一実施例を示す斜視図である。図１に示すようにこの透水性部材２０は、任意の厚さｔ、通常５〜１０ｍｍの厚さを有する板状体で、かつ符号２１で示す内径０．５ｍｍ前後の水分透過穴を多数有している。因みに、この水分透過穴２１は板状体、すなわち、透水性部材２０の表裏を連通している。
そしてこの透水性部材２０は、所定量の非生分解性樹脂製粒子と生分解性樹脂製粒子とを混合撹拌後、プレス機で熱圧着して得たものである。図２に得られた板状の透水性部材２０の断面を示す。図２に示すように非生分解性樹脂製粒子２２と生分解性樹脂製粒子２３とが熱圧着されて全体が板状に成形されている。尚、図において白丸は非生分解性樹脂製粒子２２を、黒丸は生分解性樹脂製粒子２３をそれぞれ示している。
【００１６】
より具体的には、従来から不織布に使用されているポリエステル製粒子、すなわち、非生分解性樹脂製粒子２２と、例えば、ポリ乳酸樹脂等からなる生分解性樹脂製粒子２３とを所定量撹拌して混合し、しかる後、これらを厚さが８ｍｍ程度になるように熱圧着し、板状成形体を形成した。しかる後、ドリル等を用いてこの板状成形体の表裏を連通するように内径０．５ｍｍ〜１．０ｍｍ程度の水分透過穴２１を多数形成した。水分透過穴２１は、透水性部材２０一方の面においてその内径が０．５ｍｍ〜１．０ｍｍ程度であれば、深さ方向に一定の直径を有する穴である必要はなく、透水性部材２０の他方の面に向かって緩やかに穴径が大きくなるテーパ形状の穴とすることも可能である。尚、このようにテーパ状の穴を形成した透水性部材２０を雨水の貯水施設に使用する場合には、穴径の小さい方を貯水施設の外側に向け、穴径の大きい方を貯水施設の内側に向けるのが望ましい。
また、非生分解性樹脂製粒子２２と生分解性樹脂製粒子２３の溶融温度の差が大きい場合には、両者を熱圧着により、より一体化できるように、必要により非生分解性樹脂製粒子２２と生分解性樹脂製粒子２３の両樹脂に対して相溶性を有するバインダー樹脂（相溶性樹脂）製の粒子を加えるとよい。
そして、この場合には、非生分解性樹脂製粒子２２と生分解性樹脂製粒子２３とバインダー樹脂製粒子の３種類の樹脂粒子を撹拌、混合して、しかる後プレス機で熱圧着すればよい。
尚、このようにバインダー樹脂を用いる場合、バインダー樹脂としては、非生分解性樹脂や生分解性樹脂と、その溶融温度が近いもの、例えば両者の中間程度の溶融温度を有するものが好ましい。
【００１７】
ここで、例えば、バインダー樹脂を用いずに非生分解性樹脂製粒子２２と生分解性樹脂製粒子２３とだけを熱圧着して板状成形体を形成する場合には、非生分解性樹脂製粒子２２：生分解性樹脂製粒子２３＝９０〜９５：５〜１０になるようにすればよい。
一方、バインダー樹脂製粒子を用いて板状成形体を形成する場合は、ほぼ同様に、非生分解性樹脂製繊維：（生分解性樹脂製繊維：バインダー樹脂）＝９０〜９５：５〜１０、生分解性樹脂製粒子：バインダー樹脂製粒子＝４：１の比率で板状成形体を成形すればよい。
【００１８】
このような透水性部材２０を、図３に示すような雨水の貯水施設において内張層３として用いれば、透水性部材２０の水分透過穴２１が、時間の経過とともに掘穴２の表面から侵入する土砂で目詰まりを起こしたとしても、板状成形体を形成している生分解性樹脂製粒子２３の分解も時間の経過と共に進むため、板状成形体内にランダムに配置されている生分解性樹脂製粒子２３が分解した部分が空洞となり、空洞同士が連結し、新たに透水性部材２０の表裏を連通する水分透過穴が形成される。そのため、目詰まりで失った水分透過穴２１の補充ができることになる。
よって最初から透水性部材２０の表裏を連通していた水分透過穴２１が時間の経過と共に目詰まりを起こして、その数が次第に減っていったとしても、生分解性樹脂製粒子２３の分解に伴って水分透過穴が新たに補充され、長期にわたって安定して透水性を確保することができる。
【００１９】
図２に示す実施例では、非生分解性樹脂製粒子２２と生分解性樹脂製粒子２３、あるいは必要によりこれにバインダー樹脂製粒子を混合せしめて熱圧着しているが、非生分解性樹脂製粒子２２と生分解性樹脂製粒子２３、あるいは必要ならこの非生分解性樹脂及び生分解性樹脂と相溶性の高いバインダー樹脂とを予め混合して溶融し、この溶融して得た混合樹脂から粒子を製造し、この粒子同士を熱圧着して板状成形体を形成することもできる。
因みに、この場合には、非生分解性樹脂に対する生分解性樹脂の混合比率を多少大きく設定できる。例えば、非生分解性樹脂：生分解性樹脂製子＝８０〜９５＝５〜２０の比率で混合することができる。
ところで、水分透過穴２１は板状成形体を成形後、必要数の水分透過穴２１をドリル等で形成してもよいし、水分透過穴２１も最初から板状成形体の成形と同時に形成してもよい。
【００２０】
ところで図１、図２に示す透水性部材２０は、具体的にはその厚さｔは、前述したように５ｍｍ〜１０ｍｍ、水分透過穴２１の内径は、平均内径で０．１ｍｍ〜１．０ｍｍにしてある。
しかしながら、これらの寸法等の設定条件をどうするかは、主として、これら透水性部材２０が用いられる雨水の貯水施設の大きさや設置される場所の条件、具体的には掘穴表面に露出している土砂の粒子径等により決めればよい。
例えば、雨水の貯水施設の堀穴が、粒子径の小さな粒子からなる土地に掘られたものである場合には、透水性部材２０の目が目詰まりし易くなる。それ故、透水性部材２０に設ける水分透過穴２１の数を、単位面積当りに換算してより多く形成するようにする。
また、雨水の貯水施設が設置されている場所の土砂の粒子径が著しく細かい場合には、水分透過穴２１の平均内径を０．１ｍｍ〜０．５ｍｍ（１００μｍ〜５００μｍ）にし、かつ通常に比較して、水分透過穴２１の数を多めに形成するようにすればよい。
【００２１】
また、非生分解性樹脂製粒子２２の材質としては、一般的にはポリエステル樹脂が用いられる。一方、生分解性樹脂製粒子２３の材質としては、前述したポリ乳酸樹脂の他に、例えば、ポリブチレンサクシネート系樹脂からなる粒子が用いられる。他にも、例えば、ポリビニールアルコール、ポリ乳酸樹脂、ポリカプロラクトン樹脂、ポリエチレンサクシネート樹脂、ポリグリコール酸樹脂、ポリブチレンテレフタレート系樹脂、ポリヒドロキシブチレート系樹脂、さらには酢酸セルロース、エステル化澱粉等が使用できる。特に、ポリブチレンサクシネート系樹脂は、樹脂の分解温度が低く、比較的低温で分解することから、生分解性樹脂製粒子２３の材質としては、ポリブチレンサクシネート系樹脂を使用することが特に望ましい。
また、非生分解性樹脂としては、前述したポリエステル樹脂の他にアクリル樹脂等が使用できる。
【００２２】
尚、図１、図２に示すような板状の透水性部材２０は、比較的大型の雨水の貯水施設において、図３に示す掘穴２と空間保持骨格ブロック構造体５との間に壁材のように用いられることが多い。この場合は、単に透水性部材２０としてだけではなく、機械的強度を有する壁材としても対応でき、好ましい。
もちろん貯水施設によっては、本発明の板状の透水性部材２０と、通常の不織布とを重ねて使用することもできる。
また、本発明の透水性部材２０は、小型の雨水の貯水施設にも適用可能であることはいうまでもない。
【００２３】
ところで前記各実施例では、本発明の透水性部材２０を雨水の貯水施設に使用した例のみ示しているが、これ以外にも経時的に目詰まりの進行が心配される透水性部材の設置場所にあっては、雨水の貯水施設に限らず適用可能である。
【００２４】
以上に述べたように本発明によれば、長期に亘って安定した透水性を保持できる透水性部材を提供でき、さらにこの透水性部材を用いれば、長期間にわたって貯水空間から雨水が溢れ出すことのない雨水の貯水施設を提供することができる。
【図面の簡単な説明】
【００２５】
【図１】本発明の透水性部材の一実施例を示す斜視図である。
【図２】図１に示す透水性部材の断面図である。
【図３】本発明の透水性部材が適用される雨水の貯水施設の一例示す断面図である。
【符号の説明】
【００２６】
１  地面
２  掘穴
３（２０）  内張層（透水性部材）
４  骨格ブロック
５  空間保持骨格ブロック構造体
９  被覆層
１０  流入口
１１  流出口
２０  透水性部材
２１  水分透過穴
２２  非生分解性樹脂製粒子
２３  生分解性樹脂製粒子
【図１】
2008144353.tif 000003
【図２】
2008144353.tif 000004
【図３】
2008144353.tif 000005